(57)【要約】【課題】稼働後にも溶接部を内側から検査しうる空温式液化ガス気化器およびその溶接部検査方法を提供する。【解決手段】空温式液化ガス気化器は、蒸発部および加温部を備えている。蒸発部は、上下方向に間隔をおいて互いに平行に配された１対のマニホルド管７と、両マニホルド管７間にマニホルド管７の長さ方向に間隔をおいて配されかつ上下両端部がそれぞれ両マニホルド管７に接続された複数のフィン付き管３とよりなる蒸発ユニットを備えている。下マニホルド管７の液化ガス流入側端部と反対側の端部の開口を、着脱自在の閉鎖部材により閉鎖する。閉鎖部材を下マニホルド管７から取り外し、下マニホルド管７内に、その一端開口から内視鏡２２を挿入し、下マニホルド管７とフィン付き管８との溶接部を内側から観察する。【選択図】　　　図３
2004044975.tif 000002
【特許請求の範囲】
【請求項１】
第１金属管の周壁に、少なくとも１本の第２金属管の一端部が連通状に溶接されている流体流通装置であって、
第１金属管の少なくとも一端の開口が、着脱自在の閉鎖部材により閉鎖されている流体流通装置。
【請求項２】
閉鎖部材が、第１金属管の端部に固定状に設けられた外向きフランジに、シール部材を介して着脱自在に固定されためくらフランジからなる請求項１記載の流体流通装置。
【請求項３】
閉鎖部材が、第１金属管の端部外周面に形成されたおねじ部に、シール部材を介してねじ嵌められためねじ部付きキャップからなる請求項１記載の流体流通装置。
【請求項４】
請求項１〜３のうちのいずれかの流体流通装置において、閉鎖部材を第１金属管から取り外し、第１金属管内に、その一端開口から内視鏡を挿入し、第１金属管と第２金属管との溶接部を内側から観察することを特徴とする流体流通装置の溶接部検査方法。
【請求項５】
蒸発部および加温部を備えており、蒸発部が、上下方向に間隔をおいて互いに平行に配された１対のマニホルド管と、両マニホルド管間にマニホルド管の長さ方向に間隔をおいて配されかつ上下両端部がそれぞれ両マニホルド管に接続された複数のフィン付き管とよりなる蒸発ユニットを、マニホルド管およびフィン付き管と直交する方向に並列状に複数配置することにより構成されており、下マニホルド管内にその一端から流入した液化ガスが、全てのフィン付き管に分流した後フィン付き管を通って上マニホルド管内に流入し、上マニホルド管から加温部に流出するようになされた空温式液化ガス気化器において、
下マニホルド管の液化ガス流入側端部と反対側の端部の開口が、着脱自在の閉鎖部材により閉鎖されている空温式液化ガス気化器。
【請求項６】
上マニホルド管の少なくとも一端の開口が、着脱自在の閉鎖部材により閉鎖されている請求項５記載の空温式液化ガス気化器。
【請求項７】
閉鎖部材が、マニホルド管の端部に固定状に設けられた外向きフランジに、シール部材を介して着脱自在に固定されためくらフランジからなる請求項５または６記載の空温式液化ガス気化器。
【請求項８】
閉鎖部材が、マニホルド管の端部外周面に形成されたおねじ部に、シール部材を介してねじ嵌められためねじ部付きキャップからなる請求項６または７記載の空温式液化ガス気化器。
【請求項９】
請求項５〜８のうちのいずれかの空温式液化ガス気化器において、閉鎖部材を下マニホルド管から取り外し、下マニホルド管内に、その一端開口から内視鏡を挿入し、下マニホルド管とフィン付き管との溶接部を内側から観察することを特徴とする空温式液化ガス気化器の溶接部検査方法。
【請求項１０】
請求項６〜８のうちのいずれかの空温式液化ガス気化器において、閉鎖部材を上マニホルド管から取り外し、上マニホルド管内に、その一端開口から内視鏡を挿入し、上マニホルド管とフィン付き管との溶接部を内側から観察することを特徴とする空温式液化ガス気化器の溶接部検査方法。
【発明の詳細な説明】
【０００１】
【発明の属する技術分野】
この発明は、流体流通装置およびその溶接部検査方法、空温式液化ガス気化器およびその溶接部検査方法に関する。
【０００２】
この明細書において、図１の上下を上下というものとする。
【０００３】
【従来の技術と発明が解決しようとする課題】
たとえば天然ガス、酸素、窒素、アルゴン、ヘリウム、水素、炭酸ガス、メタン、プロパン、エチレンなどのガスは、輸送時や貯蔵時には、タンクの容量を小さくするために液化した状態で蓄えられている。そして、需要に応じて空温式液化ガス気化器により再ガス化され、使用されるようになっている。
【０００４】
従来、このような空温式液化ガス気化器としては、蒸発部および加温部を備えており、蒸発部が、上下方向に間隔をおいて互いに平行に配された１対のマニホルド管と、両マニホルド管間に配されかつ上下両端部がそれぞれ両マニホルド管に接続されたフィン付き管とよりなる蒸発ユニットを、マニホルド管およびフィン付き管と直交する方向に並列状に複数配置することにより構成されており、各蒸発ユニットの下マニホルド管内にその一端から流入した液化ガスが、全てのフィン付き管に分流した後フィン付き管を通って上マニホルド管内に流入し、上マニホルド管における下マニホルド管への流入端とは反対側の端部から加温部に流出するようになされたものが知られている（たとえば特開２０００−３９０９９号公報参照）。この空温式液化ガス気化器では、各蒸発ユニットにおける下マニホルド管内への流入側端部のフィン付き管の上端は、Ｌベンドを介して上マニホルド管に接続され、同じくこれとは反対側の端部のフィン付き管の下端は、Ｌベンドを介して下マニホルド管に接続されている。
【０００５】
このような空温式液化ガス気化器を、天然ガスなどの可燃性液化ガスの気化に用いる場合、洩れが発生してはならないので、製造後稼働前の段階で、耐圧テストを行って洩れの有無を調べている。
【０００６】
しかしながら、空温式液化ガス気化器の運転により液化ガスの気化を行うと、マニホルド管やフィン付き管が熱収縮および熱膨張を繰り返すことになるので、熱応力により溶接部に割れが発生するおそれがある。そこで、従来の空温式液化ガス気化器では、定期的に運転を停止し、液体探傷検査法により溶接部を外側から検査している。ところで、上記熱応力により、溶接部の内側に割れなどが発生している可能性もあるが、従来の空温式液化ガス気化器では、稼働後には耐圧テストを行うことができないので、稼働後は溶接部の内側の検査は実施されていないのが現状である。
【０００７】
この発明は上記実情に鑑みてなされたものであって、稼働後にも溶接部を内側から検査しうる流体流通装置およびその溶接部検査方法、空温式液化ガス気化器およびその溶接部検査方法を提供することを目的とする。
【０００８】
【課題を解決するための手段】
請求項１の発明による流体流通装置は、第１金属管の周壁に、少なくとも１本の第２金属管の一端部が連通状に溶接されている流体流通装置であって、第１金属管の少なくとも一端の開口が、着脱自在の閉鎖部材により閉鎖されているものである。
【０００９】
請求項１の発明の流体流通装置によれば、稼働後にも、運転を停止して閉鎖部材を第１金属管から取り外し、第１金属管内に、その一端開口から内視鏡を挿入し、第１金属管と第２金属管との溶接部を内側から観察することにより、溶接部の内側からの検査を実施することができる。
【００１０】
請求項２の発明による流体流通装置は、請求項１の発明において、閉鎖部材が、第１金属管の端部に固定状に設けられた外向きフランジに、シール部材を介して着脱自在に固定されためくらフランジからなるものである。
【００１１】
請求項３の発明による流体流通装置は、請求項１の発明において、閉鎖部材が、第１金属管の端部外周面に形成されたおねじ部に、シール部材を介してねじ嵌められためねじ部付きキャップからなるものである。
【００１２】
請求項４の発明による流体流通装置の溶接部検査方法は、請求項１〜３のうちのいずれかの流体流通装置において、閉鎖部材を第１金属管から取り外し、第１金属管内に、その一端開口から内視鏡を挿入し、第１金属管と第２金属管との溶接部を内側から観察することを特徴とするものである。
【００１３】
請求項４の発明の方法による検査は、流体流通装置の稼働後にも運転を停止して実施することができる。
【００１４】
請求項５の発明による空温式液化ガス気化器は、蒸発部および加温部を備えており、蒸発部が、上下方向に間隔をおいて互いに平行に配された１対のマニホルド管と、両マニホルド管間にマニホルド管の長さ方向に間隔をおいて配されかつ上下両端部がそれぞれ両マニホルド管に接続された複数のフィン付き管とよりなる蒸発ユニットを、マニホルド管およびフィン付き管と直交する方向に並列状に複数配置することにより構成されており、下マニホルド管内にその一端から流入した液化ガスが、全てのフィン付き管に分流した後フィン付き管を通って上マニホルド管内に流入し、上マニホルド管から加温部に流出するようになされた空温式液化ガス気化器において、下マニホルド管の液化ガス流入側端部と反対側の端部の開口が、着脱自在の閉鎖部材により閉鎖されているものである。
【００１５】
請求項５の発明の空温式液化ガス気化器によれば、稼働後にも、運転を停止して閉鎖部材を下マニホルド管から取り外し、下マニホルド管内に、その一端開口から内視鏡を挿入し、下マニホルド管とフィン付き管との溶接部を内側から観察することにより、溶接部の内側からの検査を実施することができる。
【００１６】
請求項６の発明による空温式液化ガス気化器は、請求項５の発明において、上マニホルド管の少なくとも一端の開口が、着脱自在の閉鎖部材により閉鎖されているものである。
【００１７】
請求項６の発明の空温式液化ガス気化器によれば、稼働後にも、運転を停止して閉鎖部材を上マニホルド管から取り外し、上マニホルド管内に、その一端開口から内視鏡を挿入し、上マニホルド管とフィン付き管との溶接部を内側から観察することにより、溶接部の内側からの検査を実施することができる。
【００１８】
請求項７の発明による空温式液化ガス気化器は、請求項５または６の発明において、閉鎖部材が、マニホルド管の端部に固定状に設けられた外向きフランジに、シール部材を介して着脱自在に固定されためくらフランジからなるものである。
【００１９】
請求項８の発明による空温式液化ガス気化器は、請求項５または６の発明において、閉鎖部材が、マニホルド管の端部外周面に形成されたおねじ部に、シール部材を介してねじ嵌められためねじ部付きキャップからなるものである。
【００２０】
請求項９の発明による空温式液化ガス気化器の溶接部検査方法は、請求項５〜８のうちのいずれかの空温式液化ガス気化器において、閉鎖部材を下マニホルド管から取り外し、下マニホルド管内に、その一端開口から内視鏡を挿入し、下マニホルド管とフィン付き管との溶接部を内側から観察することを特徴とするものである。
【００２１】
請求項１０の発明による空温式液化ガス気化器の溶接部検査方法は、請求項６〜８のうちのいずれかの空温式液化ガス気化器において、閉鎖部材を上マニホルド管から取り外し、上マニホルド管内に、その一端開口から内視鏡を挿入し、上マニホルド管とフィン付き管との溶接部を内側から観察することを特徴とするものである。
【００２２】
請求項９および１０の発明の方法による溶接部の内側からの観察は、空温式液化ガス気化器の稼働後にも運転を停止して実施することができる。
【００２３】
【発明の実施形態】
以下、この発明の実施形態を、図面を参照して説明する。
【００２４】
図１および図２は空温式液化ガス気化器の全体構成を示し、図３はその要部の構成を示す。なお、以下の説明において、図１の左右を左右といい、図２の下側を前、上側を後というものとする。また、以下の説明において、「アルミニウム」という用語には、純アルミニウムの他にアルミニウム合金を含むものとする。
【００２５】
図１および図２において、空温式液化ガス気化器（１）は、複数の蒸発ユニット（３）を前後方向に間隔をおいて並列状に配置してなる蒸発部（２）と、複数のフィン付き蛇行管（５）を前後方向に間隔をおいて並列状に配置してなる加温部（４）とを備えている。
【００２６】
蒸発ユニット（３）は、上下方向に間隔をおいて互いに平行に配されかつ左右方向に伸びる１対のアルミニウム製マニホルド管（６）（７）と、両マニホルド管（６）（７）間にマニホルド管（６）（７）の長さ方向（左右方向）に間隔をおいて配されかつ上下両端部がそれぞれ両マニホルド管（６）（７）に接続されたアルミニウム製フィン付き管（８）とよりなる。
【００２７】
蒸発ユニット（３）の上マニホルド管（６）の両端には外向きフランジ（６ａ）が固定されており、外向きフランジ（６ａ）に適当なシール材（図示略）を介してめくらフランジ（９）をボルトおよびナット（いずれも図示略）によって着脱自在に固定することにより、上マニホルド管（６）の両端開口が閉鎖されている。前側の半分の蒸発ユニット（３）における下マニホルド管（７）の左端、および後側の半分の蒸発ユニット（３）における下マニホルド管（７）の左端は、前後方向に間隔をおいて配されかつ前後方向に伸びる入口ヘッダ管（１１）に接続されている。入口ヘッダ管（１１）には分流管（１２）が接続されており、分流管（１２）の中央部に液化ガス入口（１３）が形成されている。下マニホルド管（７）の右端には外向きフランジ（７ａ）が固定されており、外向きフランジ（７ａ）に適当なシール材（図示略）を介してめくらフランジ（１４）をボルト（２０）およびナット（２１）によって着脱自在に固定することにより、下マニホルド管（７）の右端開口が閉鎖されている（図３参照）。
【００２８】
蒸発ユニット（３）のフィン付き管（８）は、たとえばアルミニウム押出形材からなるものであり、外周面に上下方向に伸びる複数のフィン（８ａ）が放射状に一体に形成され、内周面に上下方向に伸びる複数の凸条からなるインナーフィン（８ｂ）が周方向に間隔をおいて一体に形成されたものである（図３参照）。各蒸発ユニット（３）において、隣接するフィン付き管（８）のフィン（８ａ）は、上下両端部において連結部材（１５）により連結されている。連結部材（１５）は、熱の影響により上下マニホルド管（７）が長さ方向に伸縮した場合にこれを吸収しうるように、たとえば横断面Ｓ字状となされている。
【００２９】
加温部（４）は、各フィン付き蛇行管（５）を、前後方向に関して蒸発ユニット（３）と対応する位置に来るように、各蒸発ユニット（３）の右側に並列状に配置することにより構成されている。各フィン付き蛇行管（５）は、たとえば複数の直管状フィン付き管（１６）をＵベンド（１７）で接続することにより形成されている。直管状フィン付き管（１６）は、蒸発ユニット（３）のフィン付き管（８）と同様な構成であり、隣接する直管状フィン付き管（１６）のフィン（１６ａ）は、上下両端部において連結部材（１５）により連結されている。各フィン付き蛇行管（５）の一端は、各蒸発ユニット（３）の上マニホルド管（６）における右端のフィン付き管（８）よりも右方の部分に接続され、同じく他端は、加温部（４）の下方に配された前後方向に伸びる出口ヘッダ管（１８）に接続されている。出口ヘッダ管（１８）の中央部にガス出口（１９）が形成されている。
【００３０】
上記構成の空温式液化ガス気化器（１）において、貯蔵タンクに貯蔵されていた液化ガスは液化ガス入口（１３）から分流管（１２）を通して入口ヘッダ管（１１）内に送り込まれ、入口ヘッダ管（１１）を通って各蒸発ユニット（３）の下マニホルド管（７）内に流入する。下マニホルド管（７）内に流入した液化ガスは全てのフィン付き管（８）に分流し、フィン付き管（８）内を上方に流れる間に、大気と熱交換して再ガス化する。ガスは、上マニホルド管（６）を経て温部（４）のフィン付き蛇行管（５）に流入し、フィン付き蛇行管（５）内を流れる間に、大気と熱交換して所定温度、たとえば０℃以上に加温される。加温されたガスは出口ヘッダ管（１８）内に流入し、ガス出口（１９）から送り出される。
【００３１】
このような空温式液化ガス気化器（１）によれば、稼働後には、各蒸発ユニット（３）における上下両マニホルド管（６）（７）とフィン付き管（８）との溶接部の内側の検査が、次のようにして行われる。
【００３２】
まず、空温式液化ガス気化器（１）の運転を停止した後、図３に示すように、下マニホルド管（７）の外向きフランジ（７ａ）からめくらフランジ（１４）を取り外す。その後、下マニホルド管（７）内に、その右端開口から内視鏡（２２）を挿入し、下マニホルド管（７）とフィン付き管（８）との溶接部を内側から観察する。こうして、溶接部内側の検査が行われる。
【００３３】
上マニホルド管（６）とフィン付き管（８）の溶接部内側の検査もこれと同様にして行われる。但し、この場合、いずれか一方のめくらフランジ（９）を上マニホルド管（６）から取り外すだけでよい。
【００３４】
図４はこの発明による空温式液化ガス気化器の他の実施形態を示す。
【００３５】
図４において、下マニホルド管（７）の右端部外周面にはおねじ部（３０）が形成されており、このおねじ部（３０）にシール部材（図示略）を介してめねじ部付きキャップ（３１）がねじ嵌められることにより、下マニホルド管（７）の右端開口が閉鎖されている。
【００３６】
この実施形態の場合は、空温式液化ガス気化器（１）の運転を停止した後、めねじ付きキャップ（３１）を下マニホルド管（７）から取り外し、ついで下マニホルド管（７）内に、その右端開口から内視鏡（２２）を挿入し、下マニホルド管（７）とフィン付き管（８）との溶接部を内側から観察することによって、溶接部内側の検査が行われる。
【００３７】
なお、上マニホルド管（６）の両端開口も下マニホルド管（７）の右端開口と同様にして閉鎖しておき、空温式液化ガス気化器（１）の運転停止後、いずれか一方のめねじ付きキャップを上マニホルド管（６）から取り外し、ついで上マニホルド管（６）内に、いずれかの開口から内視鏡を挿入し、上マニホルド管（６）とフィン付き管（８）との溶接部を内側から観察することによって、溶接部内側の検査が行われる。
【００３８】
【発明の効果】
請求項１〜４の発明によれば、流体流通装置の稼働後にも、第１金属管と第２金属管との溶接部を内側から検査することができる。
【００３９】
請求項５〜１０の発明によれば、空温式液化ガス気化器の稼働後にも、蒸発ユニットにおけるマニホルド管とフィン付き管との溶接部を内側から検査することができる。
【図面の簡単な説明】
【図１】この発明による空温式液化ガス気化器を示す正面図である。
【図２】図１のＩＩ−ＩＩ線断面図である。
【図３】下マニホルド管とフィン付き管との溶接部を内側から検査する方法を示す斜視図である。
【図４】下マニホルド管とフィン付き管との溶接部を内側から検査する他の方法を示す斜視図である。
【符号の説明】
（１）：空温式液化ガス気化器
（２）：蒸発部
（３）：蒸発ユニット
（４）：加温部
（６）：上マニホルド管
（７）：下マニホルド管
（７ａ）：外向きフランジ
（８）：フィン付き管
（１４）：めくらフランジ
（２２）：内視鏡
（３０）：おねじ部
（３１）：めねじ部付きキャップ
【図１】
2004044975.tif 000003
【図２】
2004044975.tif 000004
【図３】
2004044975.tif 000005
【図４】
2004044975.tif 000006